(57)【要約】【課題】ウエハからの取出個数を多くできるとともに、機能面を両面に有する電子部品でも容易に、かつ、確実に電気的に導通可能な電子部品パッケージおよび電子部品パッケージの製造方法を提供する。【解決手段】電子部品１１と、電子部品を覆うように複数の構成部材を接合して形成されたケーシング１３と、を有する電子部品パッケージ１０において、電子部品の機能面１１ａ，１１ｂと、ケーシングの構成部材２１，２２，２３間の接合面２１ａ，２１ｂとが、交差するように配置されている。【選択図】図２
2010056225.tif 000002
【特許請求の範囲】
【請求項１】
電子部品と、
該電子部品を覆うように複数の構成部材を接合して形成されたケーシングと、を有する電子部品パッケージにおいて、
前記電子部品の機能面と、前記ケーシングの構成部材間の接合面とが、交差するように配置されていることを特徴とする電子部品パッケージ。
【請求項２】
前記電子部品の機能面と、前記ケーシングにおける前記電子部品の実装面とが、交差するように配置されていることを特徴とする請求項１に記載の電子部品パッケージ。
【請求項３】
前記ケーシングが、前記電子部品を収容可能な貫通孔が形成された第一ケーシングと、前記貫通孔の両端開口部を覆う第二ケーシングおよび第三ケーシングとで構成され、
前記電子部品の機能面が前記貫通孔の内周面に対向するように配置されていることを特徴とする請求項１または２に記載の電子部品パッケージ。
【請求項４】
前記ケーシングが、前記電子部品の少なくとも一部を収容可能な凹部が形成された第四ケーシングおよび第五ケーシングで構成され、
前記電子部品の機能面が前記第四ケーシングの凹部の側面および前記第五ケーシングの凹部の側面に対向するように配置されていることを特徴とする請求項１または２に記載の電子部品パッケージ。
【請求項５】
前記ケーシングが、前記電子部品を収容可能な凹部が形成された第六ケーシングと、前記凹部の開口部を覆う第七ケーシングとで構成され、
前記電子部品の機能面が前記凹部の側面に対向するように配置されていることを特徴とする請求項１または２に記載の電子部品パッケージ。
【請求項６】
電子部品と、
該電子部品を覆うように複数の構成部材を接合して形成されたケーシングと、を有し、
前記電子部品の機能面と、前記ケーシングの構成部材間の接合面とが、交差するように配置され、
前記ケーシングが、前記電子部品を収容可能な貫通孔が形成された第一ケーシングと、前記貫通孔の両端開口部を覆う第二ケーシングおよび第三ケーシングとで構成された電子部品パッケージの製造方法において、
前記第一ケーシングを形成する第一ウエハに前記貫通孔を複数形成する工程と、
前記第一ウエハと、前記第二ケーシングを構成する第二ウエハとを接合する工程と、
前記電子部品の機能面と前記ケーシングの接合面とが交差するように前記電子部品を実装する工程と、
前記第一ウエハと、前記第三ケーシングを構成する第三ウエハとを接合する工程と、
接合された前記ウエハを個片ごとに分離する工程と、を備えていることを特徴とする電子部品パッケージの製造方法。
【請求項７】
電子部品と、
該電子部品を覆うように複数の構成部材を接合して形成されたケーシングと、を有し、
前記電子部品の機能面と、前記ケーシングの構成部材間の接合面とが、交差するように配置され、
前記ケーシングが、前記電子部品の少なくとも一部を収容可能な凹部が形成された第四ケーシングおよび第五ケーシングで構成された電子部品パッケージの製造方法において、
前記第四ケーシングを形成する第四ウエハに前記凹部を複数形成する工程と、
前記第五ケーシングを形成する第五ウエハに前記凹部を複数形成する工程と、
前記第四ウエハまたは前記第五ウエハに、前記電子部品の機能面と前記ケーシングの接合面とが交差するように前記電子部品を実装する工程と、
前記第四ウエハと前記第五ウエハとを接合する工程と、
接合された前記ウエハを個片ごとに分離する工程と、を備えていることを特徴とする電子部品パッケージの製造方法。
【請求項８】
電子部品と、
該電子部品を覆うように複数の構成部材を接合して形成されたケーシングと、を有し、
前記電子部品の機能面と、前記ケーシングの構成部材間の接合面とが、交差するように配置され、
前記ケーシングが、前記電子部品を収容可能な凹部が形成された第六ケーシングと、前記凹部の開口部を覆う第七ケーシングとで構成された電子部品パッケージの製造方法において、
前記第六ケーシングを形成する第六ウエハに前記凹部を複数形成する工程と、
前記電子部品の機能面と前記ケーシングの接合面とが交差するように前記電子部品を実装する工程と、
前記第六ウエハと、前記第七ケーシングを構成する第七ウエハとを接合する工程と、
接合された前記ウエハを個片ごとに分離する工程と、を備えていることを特徴とする電子部品パッケージの製造方法。
【発明の詳細な説明】
【技術分野】
【０００１】
本発明は、電子部品パッケージおよび電子部品パッケージの製造方法に関するものである。
【背景技術】
【０００２】
近年、電子部品の一つとして、半導体プロセス技術を用いて一つの基板に機械的構造と電子回路とを集積させた微小デバイスであるＭＥＭＳ（Ｍｉｃｒｏ  Ｅｌｅｃｔｒｏ  Ｍｅｃｈａｎｉｃａｌ  Ｓｙｓｔｅｍ）デバイスが注目されている。このＭＥＭＳデバイスは、半導体技術を利用して製造されることから、加工精度の高さ、量産の容易さ、電子回路と機械的構造とを一体形成することで精密な動作制御が可能などといった利点があり、ＩＴ関連のみならず、通信や化学、医療やバイオなどといった様々な分野に応用され始めている。
【０００３】
このＭＥＭＳデバイスなどの電子部品は、一般的に、内部にキャビティが形成されたパッケージに収容されている（例えば、特許文献１参照）。特許文献１の表面実装型圧電デバイスは、平板状のパッケージ本体と、パッケージ本体上に支持した圧電振動素子（電子部品）を含むパッケージ本体上の空間を包囲した状態で固定される逆碗状の金属リッドと、からなり、パッケージ本体の上面周縁に沿って形成された金属メッキ壁と、金属メッキ壁の内側のスルーホールの各上側開口を塞ぐようにパッケージ本体上面にそれぞれ配置され、かつ、圧電振動素子を支持する内部電極と、パッケージ本体下面に配置された金属メッキ外部電極と、を備えたものである。
【特許文献１】特開２００３−８７０７１号公報
【発明の開示】
【発明が解決しようとする課題】
【０００４】
ところで、特許文献１の表面実装型圧電デバイスは、平板状のパッケージ本体と略平行に圧電振動素子（電子部品）が配され、圧電振動素子の上方から逆碗状の金属リッドを被せるようにして形成されている。つまり、パッケージ本体と金属リッドとの接合面が、圧電振動素子の機能面と略平行になっている。このように構成すると、パッケージ本体を構成するウエハの表面と電子部品において面積が大きい機能面とが平行になるように配置され、ウエハ上に載置可能な電子部品の個数が限られるという問題がある。また、両面が機能面として構成された電子部品を実装する場合、電子部品の両面と電気的に導通をとるためには、電子部品の機能面と内部電極との間に導通可能な貫通電極やワイヤボンディングなどの配線を新たに形成する必要がある。したがって、機能面を両面に有する電子部品の場合、従来の製造方法では生産効率が悪い。
【０００５】
そこで、本発明は、上述の事情に鑑みてなされたものであり、ウエハからの取出個数を多くできるとともに、機能面を両面に有する電子部品でも容易に、かつ、確実に電気的に導通可能な電子部品パッケージおよび電子部品パッケージの製造方法を提供するものである。
【課題を解決するための手段】
【０００６】
上記の課題を解決するために、本発明は以下の手段を提供する。
本発明に係る電子部品パッケージは、電子部品と、該電子部品を覆うように複数の構成部材を接合して形成されたケーシングと、を有する電子部品パッケージにおいて、前記電子部品の機能面と、前記ケーシングの構成部材間の接合面とが、交差するように配置されていることを特徴としている。
【０００７】
このように構成することで、一般的に電子部品の中で面積が大きい機能面が、複数の部材からなるケーシングの部材同士の接合面と平行でなくなるため、例えば、ケーシングをウエハで形成する際に、ウエハに対して電子部品の配置個数を多くすることができる。つまり、ウエハからの電子部品パッケージの取出個数を多くすることができる。また、電子部品の表面および裏面の両面が機能面である場合、電子部品の側面とケーシングの内面とが接するように構成されるため、電子部品の表裏面の電極を側面付近に形成しつつ、ケーシングの内面との間に導電性ペーストなどの導電材料を介して配置することにより容易に、かつ、確実に電気的に導通をとることができる。
【０００８】
また、前記電子部品の機能面と、前記ケーシングにおける前記電子部品の実装面とが、交差するように配置されていることを特徴としている。
このように構成することで、電子部品をケーシングに実装する際に、実装面積を小さくすることができる。したがって、ケーシングを構成するウエハに対して電子部品を数多く配置することができ、ウエハからの取出個数を多くすることができる。
【０００９】
また、前記ケーシングが、前記電子部品を収容可能な貫通孔が形成された第一ケーシングと、前記貫通孔の両端開口部を覆う第二ケーシングおよび第三ケーシングとで構成され、前記電子部品の機能面が前記貫通孔の内周面に対向するように配置されていることを特徴としている。
このように構成することで、電子部品の機能面が、第一ケーシングと第二ケーシングとの接合面および第一ケーシングと第三ケーシングとの接合面とそれぞれ平行でなくなるため、例えば、第一〜第三ケーシングをウエハで形成する際に、ウエハに対して電子部品の配置個数を多くすることができる。つまり、ウエハからの電子部品パッケージの取出個数を多くすることができる。また、電子部品の表面および裏面の両面が機能面である場合、電子部品の側面と第二ケーシングまたは第三ケーシングの内面とが接するように構成されるため、電子部品の表裏面の電極を側面付近に形成しつつ、第二ケーシングまたは第三ケーシングの内面との間に導電性ペーストなどの導電材料を介して配置することにより容易に、かつ、確実に電気的に導通をとることができる。
【００１０】
また、前記ケーシングが、前記電子部品の少なくとも一部を収容可能な凹部が形成された第四ケーシングおよび第五ケーシングで構成され、前記電子部品の機能面が前記第四ケーシングの凹部の側面および前記第五ケーシングの凹部の側面に対向するように配置されていることを特徴としている。
このように構成することで、電子部品の機能面が、第四ケーシングと第五ケーシングとの接合面と平行でなくなるため、例えば、第四〜第五ケーシングをウエハで形成する際に、ウエハに対して電子部品の配置個数を多くすることができる。つまり、ウエハからの電子部品パッケージの取出個数を多くすることができる。また、電子部品の表面および裏面の両面が機能面である場合、電子部品の側面と第四ケーシングまたは第五ケーシングの凹部の底面とが接するように構成されるため、電子部品の表裏面の電極を側面付近に形成しつつ、第四ケーシングまたは第五ケーシングの凹部の底面との間に導電性ペーストなどの導電材料を介して配置することにより容易に、かつ、確実に電気的に導通をとることができる。
【００１１】
また、前記ケーシングが、前記電子部品を収容可能な凹部が形成された第六ケーシングと、前記凹部の開口部を覆う第七ケーシングとで構成され、前記電子部品の機能面が前記凹部の側面に対向するように配置されていることを特徴としている。
このように構成することで、電子部品の機能面が、第六ケーシングと第七ケーシングとの接合面と平行でなくなるため、例えば、第六〜第七ケーシングをウエハで形成する際に、ウエハに対して電子部品の配置個数を多くすることができる。つまり、ウエハからの電子部品パッケージの取出個数を多くすることができる。また、電子部品の表面および裏面の両面が機能面である場合、電子部品の側面と第六ケーシングの凹部の底面とが接するように構成されるため、電子部品の表裏面の電極を側面付近に形成しつつ、第六ケーシングの凹部の底面との間に導電性ペーストなどの導電材料を介して配置することにより容易に、かつ、確実に電気的に導通をとることができる。
【００１２】
また、本発明に係る電子部品パッケージの製造方法は、電子部品と、該電子部品を覆うように複数の構成部材を接合して形成されたケーシングと、を有し、前記電子部品の機能面と、前記ケーシングの構成部材間の接合面とが、交差するように配置され、前記ケーシングが、前記電子部品を収容可能な貫通孔が形成された第一ケーシングと、前記貫通孔の両端開口部を覆う第二ケーシングおよび第三ケーシングとで構成された電子部品パッケージの製造方法において、前記第一ケーシングを形成する第一ウエハに前記貫通孔を複数形成する工程と、前記第一ウエハと、前記第二ケーシングを構成する第二ウエハとを接合する工程と、前記電子部品の機能面と前記ケーシングの接合面とが交差するように前記電子部品を実装する工程と、前記第一ウエハと、前記第三ケーシングを構成する第三ウエハとを接合する工程と、接合された前記ウエハを個片ごとに分離する工程と、を備えていることを特徴としている。
【００１３】
このように構成することで、第一ウエハに電子部品を収容するための貫通孔を形成し、第二ウエハおよび第三ウエハは加工を施すことなく第一ウエハと接合するだけでケーシングを形成することができる。したがって、ケーシングを容易に製造することができる。また、一般的に電子部品の中で面積が大きい機能面が貫通孔の内周面に対向するように貫通孔を形成すればよい。つまり、平面視において第一ウエハに形成する貫通孔の大きさを最小限にすることができ、ウエハに対して貫通孔の数を多く形成することができる。したがって、ウエハからの電子部品パッケージの取出個数を多くすることができる。また、電子部品の表面および裏面の両面が機能面である場合、電子部品の側面と第二ウエハまたは第三ウエハの表面とが接するように構成されるため、電子部品の表裏面の電極を側面付近に形成しつつ、第二ウエハまたは第三ウエハの表面との間に導電性ペーストなどの導電材料を介して配置することにより容易に、かつ、確実に電気的に導通をとることができる。
【００１４】
また、本発明に係る電子部品パッケージの製造方法は、電子部品と、該電子部品を覆うように複数の構成部材を接合して形成されたケーシングと、を有し、前記電子部品の機能面と、前記ケーシングの構成部材間の接合面とが、交差するように配置され、前記ケーシングが、前記電子部品の少なくとも一部を収容可能な凹部が形成された第四ケーシングおよび第五ケーシングで構成された電子部品パッケージの製造方法において、前記第四ケーシングを形成する第四ウエハに前記凹部を複数形成する工程と、前記第五ケーシングを形成する第五ウエハに前記凹部を複数形成する工程と、前記第四ウエハまたは前記第五ウエハに、前記電子部品の機能面と前記ケーシングの接合面とが交差するように前記電子部品を実装する工程と、前記第四ウエハと前記第五ウエハとを接合する工程と、接合された前記ウエハを個片ごとに分離する工程と、を備えていることを特徴としている。
【００１５】
このように構成することで、第四ウエハおよび第五ウエハに電子部品を収容するための凹部をそれぞれ形成して第四ウエハと第五ウエハとを接合するだけでケーシングを形成することができる。したがって、ケーシングを容易に製造することができる。また、一般的に電子部品の中で面積が大きい機能面が凹部の側面に対向するように凹部を形成すればよい。つまり、平面視において第四ウエハおよび第五ウエハに形成する凹部の大きさを最小限にすることができ、ウエハに対して凹部の数を多く形成することができる。したがって、ウエハからの電子部品パッケージの取出個数を多くすることができる。また、電子部品の表面および裏面の両面が機能面である場合、電子部品の側面と第四ウエハまたは第五ウエハの凹部の底面とが接するように構成されるため、電子部品の表裏面の電極を側面付近に形成しつつ、第四ウエハまたは第五ウエハの凹部の底面との間に導電性ペーストなどの導電材料を介して配置することにより容易に、かつ、確実に電気的に導通をとることができる。
【００１６】
また、本発明に係る電子部品パッケージの製造方法は、電子部品と、該電子部品を覆うように複数の構成部材を接合して形成されたケーシングと、を有し、前記電子部品の機能面と、前記ケーシングの構成部材間の接合面とが、交差するように配置され、前記ケーシングが、前記電子部品を収容可能な凹部が形成された第六ケーシングと、前記凹部の開口部を覆う第七ケーシングとで構成された電子部品パッケージの製造方法において、前記第六ケーシングを形成する第六ウエハに前記凹部を複数形成する工程と、前記電子部品の機能面と前記ケーシングの接合面とが交差するように前記電子部品を実装する工程と、前記第六ウエハと、前記第七ケーシングを構成する第七ウエハとを接合する工程と、接合された前記ウエハを個片ごとに分離する工程と、を備えていることを特徴としている。
【００１７】
このように構成することで、第六ウエハに電子部品を収容するための凹部を形成し、第七ウエハは加工を施すことなく第六ウエハと接合するだけでケーシングを形成することができる。したがって、ケーシングを容易に製造することができる。また、一般的に電子部品の中で面積が大きい機能面が凹部の側面に対向するように凹部を形成すればよい。つまり、平面視において第六ウエハに形成する凹部の大きさを最小限にすることができ、ウエハに対して凹部を多数形成することができる。したがって、ウエハからの電子部品パッケージの取出個数を多くすることができる。また、電子部品の表面および裏面の両面が機能面である場合、電子部品の側面と第六ウエハの凹部の底面とが接するように構成されるため、電子部品の側面と第六ウエハの凹部の底面との間に導電性ペーストなどを介して配置することにより容易に、かつ、確実に電気的に導通をとることができる。
【発明の効果】
【００１８】
本発明に係る電子部品パッケージによれば、一般的に電子部品の中で面積が大きい機能面が、複数の部材からなるケーシングの部材同士の接合面と平行でなくなるため、例えば、ケーシングをウエハで形成する際に、ウエハに対して電子部品の配置個数を多くすることができる。つまり、ウエハからの電子部品パッケージの取出個数を多くすることができる。また、電子部品の表面および裏面の両面が機能面である場合、電子部品の側面とケーシングの内面とが接するように構成されるため、電子部品の表裏面の電極を側面付近に形成しつつ、ケーシングの内面との間に導電性ペーストなどの導電材料を介して配置することにより容易に、かつ、確実に電気的に導通をとることができる。
【発明を実施するための最良の形態】
【００１９】
（第一実施形態）
次に、本発明に係る電子部品パッケージの第一実施形態を図１〜図１２に基づいて説明する。
図１〜図３に示すように、電子部品パッケージ１０は、平板状の電子部品１１と、電子部品１１を覆うケーシング１３と、電子部品１１とケーシング１３との接合箇所に配された導電材料１５と、ケーシング１３の外周面に配された外部電極１７と、導電材料１５と外部電極１７との間を電気的に接続する配線部１９と、を備えている。
【００２０】
電子部品１１は、例えばＩＣや水晶振動子などで構成されており、その表面１１ａおよび裏面１１ｂに機能面を有している。また、電子部品１１の側面１１ｃは、第二ケーシング２２の表面２２ｃに設けられた導電性ペーストからなる導電材料１５に接合されている。さらに、表面１１ａおよび裏面１１ｂにおける側面１１ｃ近傍には電極１２が形成されている。
【００２１】
ケーシング１３は、例えばシリコンで形成された外形略直方体で、内部に空洞が形成された部材である。本実施形態では、電子部品１１を収容可能な貫通孔２０が形成された第一ケーシング２１と、第一ケーシング２１の貫通孔２０の両端をそれぞれ閉塞する第二ケーシング２２および第三ケーシング２３と、で構成されている。
【００２２】
第一ケーシング２１の貫通孔２０の内周面３１と電子部品１１の表面１１ａとが対向し、貫通孔２０の内周面３２と電子部品１１の裏面１１ｂとが対向するように配置されている。なお、内周面３１および３２は、互いに対向する面であり、貫通孔２０の４面ある内周面のうち、面積の大きい方の内周面である。
【００２３】
第二ケーシング２２および第三ケーシング２３は平板状の部材であり、第一ケーシング２１の端面２１ａ，２１ｂにおいて、陽極接合や接着剤接合、または金や錫を用いたはんだ接合などによりそれぞれ接合されている。また、第二ケーシング２２には貫通孔２５が形成されており（本実施形態では２個）、貫通孔２５の内部に導電性ペーストなどを充填することによって貫通電極２７が形成されている。
【００２４】
また、第一ケーシング２１の外表面２１ｃにおける外部電極１７が形成される領域に、切欠部２１ｄが形成されている（本実施形態では２箇所）。さらに、第二ケーシング２２の外表面２２ａにおける貫通電極２７と外部電極１７との間の領域に、切欠部２２ｂが形成されている。この切欠部２２ｂには導電性ペーストなどからなる配線部１９が形成されている。この配線部１９により導電材料１５と外部電極１７とが電気的に接続されている。
【００２５】
次に、電子部品パッケージ１０の製造方法について図４〜図１２を用いて説明する。
図４に示すように、平面視における大きさが略同一の３枚の第一〜第三ウエハ５１，５２，５３を準備する。なお、第一ウエハ５１の厚さは、電子部品１１の機能面を有した表面１１ａ（裏面１１ｂ）の幅よりも厚くなっている。つまり、第一ウエハ５１が第一ケーシング２１の構成部材であり、第二ウエハ５２および第三ウエハ５３がそれぞれ第二ケーシング２２および第三ケーシング５３の構成部材である。
【００２６】
図５に示すように、第一ウエハ５１に貫通孔２０を複数形成するとともに、第二ウエハ５２に貫通孔２５を複数形成する。なお、本実施形態では、一つの貫通孔２０に対して、二つの貫通孔２５を形成する。
【００２７】
図６に示すように、第一ウエハ５１の一方の面５１ａと第二ウエハ５２の表面５２ａとを接合する。
【００２８】
図７に示すように、第二ウエハ５２の表面５２ａにおける貫通孔２５に対応する位置に銀ペーストなどからなる導電材料１５を形成する。
【００２９】
図８に示すように、電子部品１１を貫通孔２０内に挿入する。このとき、電子部品１１の機能面を有した表面１１ａおよび裏面１１ｂが貫通孔２０の内周面３１，３２にそれぞれ対向するように挿入する。また、電子部品１１の側面１１ｃが導電材料１５に当接し、さらにペースト状の導電材料１５が電子部品１１の表面１１ａおよび裏面１１ｂに回り込むまで押し込む。このようにすることで、電子部品１１の両面に形成された電極１２と導電材料１５が電気的に接続される。
【００３０】
図９に示すように、第一ウエハ５１の他方の面５１ｂと第三ウエハ５３の表面５３ａとを接合する。
【００３１】
図１０に示すように、第一ウエハ５１に切欠部２１ｄを形成するとともに、第二ウエハ５２に切欠部２２ｂを形成する。
【００３２】
図１１に示すように、貫通孔２５、切欠部２１ｄおよび切欠部２２ｂに銀ペーストを流し込み、貫通電極２７、外部電極１７および配線部１９を形成する。
【００３３】
図１２に示すように、第一ウエハ５１〜第三ウエハ５３を個片ごとに分離して、電子部品パッケージ１０の製造が完了する。
【００３４】
本実施形態によれば、略平板状の電子部品１１において面積が大きい機能面（表面１１ａおよび裏面１１ｂ）が、第一ケーシング２１、第二ケーシング２２および第三ケーシング２３からなるケーシング１３の部材同士の接合面と平行でなく、略直交する方向に配置されているため、ケーシング１３を構成するウエハ（第一ウエハ５１）に対して電子部品１１の配置個数を多くすることができる。したがって、ウエハからの電子部品パッケージ１０の取出個数を多くすることができる。つまり、第一ウエハ５１〜第三ウエハ５３に対して高密度に電子部品１１を配置することができ、第一ウエハ５１〜第三ウエハ５３を有効に利用することができる。
【００３５】
また、電子部品１１の表面１１ａおよび裏面１１ｂの両面が機能面であり、電子部品１１の側面１１ｃと第二ケーシング２２の表面（第二ウエハ５２の表面５２ａ）とが接するように構成したため、電子部品１１の側面１１ｃと第二ケーシング２２の表面との間に導電性ペーストからなる導電材料１５を介して配置することにより容易に、かつ、確実に電気的に導通をとることができる。
【００３６】
また、電子部品１１の機能面（表面１１ａおよび裏面１１ｂ）と、ケーシング１３における電子部品１１の実装面（第二ウエハ５２の表面５２ａ）とが、略直交するように配置したため、電子部品１１をケーシング１３に実装する際に、実装面積を小さくすることができる。したがって、ケーシング１３を構成するウエハに対して電子部品１１を数多く配置することができ、ウエハからの取出個数を多くすることができる。
【００３７】
また、上述した製造方法によれば、第一ウエハ５１に電子部品１１を収容するための貫通孔２０を形成し、第二ウエハ５２および第三ウエハ５３は電子部品１１を収容するための加工を施すことなく第一ウエハ５１と接合するだけでケーシング１３を形成することができる。したがって、ケーシング１３を容易に製造することができる。また、このようにウエハレベルで電子部品パッケージ１０を製造するため、製造工程を簡略化することができる。
【００３８】
さらに、本実施形態の電子部品パッケージ１０は、水晶振動子が収容される略円筒状のカンパッケージと異なり、突出した電極（外部電極）が形成されないため、実装しやすい。また、電子部品パッケージ１０は、略平板板状の電子部品１１を略直方体形状の貫通孔２０内に収容しているため、表面実装部品として親和性を高くすることができる。さらに、ケーシング１３の第三ケーシング２３を金属リッドで構成した場合に、第三ケーシング２３と電子部品１１の機能面とが直交する方向に配置構成されており、第三ケーシング２３と平行となる面が小さいため、寄生容量が小さくなる。
【００３９】
（第二実施形態）
次に、本発明に係る電子部品パッケージの第二実施形態を図１３〜図２２に基づいて説明する。なお、本実施形態は、第一実施形態とケーシングの構成が異なるのみであり、その他の構成は略同一であるため、同一箇所には同一符号を付して詳細な説明は省略する。
図１３、図１４に示すように、電子部品パッケージ１１０は、電子部品１１と、電子部品１１を覆うケーシング１１３と、電子部品１１とケーシング１１３との接合箇所に配された導電材料１５と、ケーシング１１３の外周面に配された外部電極１７と、導電材料１５と外部電極１７との間を電気的に接続する配線部１９と、を備えている。
【００４０】
ケーシング１１３は、電子部品１１の略半分を収容可能な凹部１２０が形成された第四ケーシング１２４と、同じく電子部品１１の略半分を収容可能な凹部１２１が形成された第五ケーシング１２５と、で構成されている。
【００４１】
第四ケーシング１２４の凹部１２０の側面１３１と電子部品１１の表面１１ａとが対向し、凹部１２０の側面１３２と電子部品１１の裏面１１ｂとが対向するように配置されている。同様に、第五ケーシング１２５の凹部１２１の側面１３３と電子部品１１の表面１１ａとが対向し、凹部１２１の側面１３４と電子部品１１の裏面１１ｂとが対向するように配置されている。なお、側面１３１と側面１３２、および、側面１３３と側面１３４は、互いに対向する面であり、凹部１２０および凹部１２１の４面ある側面のうち、面積の大きい方の側面である。
【００４２】
第四ケーシング１２４と第五ケーシング１２５とは、それぞれの端面１２４ａ，１２５ａにおいて接合されている。また、第四ケーシング１２４には貫通孔２５が形成されており（本実施形態では２個）、貫通孔２５の内部に導電性ペーストなどを充填することによって貫通電極２７が形成されている。
【００４３】
また、第四ケーシング１２４の外表面１２４ｃにおける外部電極１７が形成される領域に、切欠部１２４ｄが形成されている。さらに、第四ケーシング１２４の外表面１２４ｂにおける貫通電極２７と外部電極１７との間の領域に、切欠部１２４ｅが形成されている。この切欠部１２４ｅには配線部１９が形成されている。
【００４４】
次に、電子部品パッケージ１１０の製造方法について図１５〜図２２を用いて説明する。
図１５に示すように、平面視における大きさが略同一の２枚の第四、第五ウエハ１５４，１５５を準備する。なお、第四ウエハ１５４が第四ケーシング１２４の構成部材であり、第五ウエハ１５５が第五ケーシング１２５の構成部材である。
【００４５】
図１６に示すように、第四ウエハ１５４に凹部１２０を複数形成するとともに、第五ウエハ１５５に凹部１２１を複数形成する。また、第四ウエハ１５４の凹部１２０の底面１２０ａには貫通孔２５をさらに形成する。なお、本実施形態では、一つの凹部１２０に対して、二つの貫通孔２５を形成する。
【００４６】
図１７に示すように、第四ウエハ１５４の凹部１２０の底面１２０ａにおける貫通孔２５に対応する位置に銀ペーストなどからなる導電材料１５を形成する。
【００４７】
図１８に示すように、電子部品１１を凹部１２０内に挿入する。このとき、電子部品１１の機能面を有した表面１１ａおよび裏面１１ｂが凹部１２０の側面１３１，１３２にそれぞれ対向するように挿入する。また、電子部品１１の側面１１ｃが導電材料１５に当接し、さらにペースト状の導電材料１５が電子部品１１の表面１１ａおよび裏面１１ｂに回り込むまで押し込む。このようにすることで、電子部品１１の両面に形成された電極１２と導電材料１５が電気的に接続される。
【００４８】
図１９に示すように、第四ウエハ１５４と第五ウエハ１５５とを接合する。
【００４９】
図２０に示すように、第四ウエハ１５４に切欠部１２４ｄおよび１２４ｅを形成する。
【００５０】
図２１に示すように、貫通孔２５、切欠部１２４ｄおよび切欠部１２４ｅに銀ペーストを流し込み、貫通電極２７、外部電極１７および配線部１９を形成する。
【００５１】
図２２に示すように、第四ウエハ１５４および第五ウエハ１５５を個片ごとに分離して、電子部品パッケージ１１０の製造が完了する。
【００５２】
本実施形態によれば、略平板状の電子部品１１において面積が大きい機能面（表面１１ａおよび裏面１１ｂ）が、第四ケーシング１２４および第五ケーシング１２５からなるケーシング１１３の部材同士の接合面と平行でなく、略直交する方向に配置されているため、ケーシング１１３を構成するウエハ（第四ウエハ１５４および第五ウエハ１５５）に対して電子部品１１の配置個数を多くすることができる。つまり、第四ウエハ１５４および第五ウエハ１５５に対して高密度に電子部品１１を配置することができ、第四ウエハ１５４および第五ウエハ１５５を有効に利用することができる。
【００５３】
また、電子部品１１の表面１１ａおよび裏面１１ｂの両面に機能面を有し、電子部品１１の側面１１ｃと第四ケーシング１２４の凹部１２０の底面１２０ａとが接するように構成したため、電子部品１１の側面１１ｃと凹部１２０の底面１２０ａとの間に導電性ペーストからなる導電材料１５を介して配置することにより容易に、かつ、確実に電気的に導通をとることができる。
【００５４】
また、電子部品１１の機能面（表面１１ａおよび裏面１１ｂ）と、ケーシング１１３における電子部品１１の実装面（第四ウエハ１５４の凹部１２０の底面１２０ａ）とが、略直交するように配置したため、電子部品１１をケーシング１１３に実装する際に、実装面積を小さくすることができる。したがって、ケーシング１１３を構成するウエハに対して電子部品１１を数多く配置することができ、ウエハからの取出個数を多くすることができる。
【００５５】
また、上述した製造方法によれば、第四ウエハ１５４および第五ウエハ１５５に電子部品１１を収容するための凹部１２０および凹部１２１をそれぞれ形成し、第四ウエハ１５４と第五ウエハ１５５とを接合するだけでケーシング１１３を形成することができる。したがって、ケーシング１１３を容易に製造することができる。また、このようにウエハレベルで電子部品パッケージ１１０を製造するため、製造工程を簡略化することができる。
【００５６】
（第三実施形態）
次に、本発明に係る電子部品パッケージの第三実施形態を図２３〜図３２に基づいて説明する。なお、本実施形態は、第一実施形態とケーシングの構成が異なるのみであり、その他の構成は略同一であるため、同一箇所には同一符号を付して詳細な説明は省略する。
図２３、図２４に示すように、電子部品パッケージ２１０は、電子部品１１と、電子部品１１を覆うケーシング２１３と、電子部品１１とケーシング２１３との接合箇所に配された導電材料１５と、ケーシング２１３の外周面に配された外部電極１７と、導電材料１５と外部電極１７との間を電気的に接続する配線部１９と、を備えている。
【００５７】
ケーシング２１３は、電子部品１１を収容可能な凹部２２０が形成された第六ケーシング２２６と、凹部２２０を閉塞する略平板状の第七ケーシング２２７と、で構成されている。
【００５８】
第六ケーシング２２６の凹部２２０の側面２３１と電子部品１１の表面１１ａとが対向し、凹部２２０の側面２３２と電子部品１１の裏面１１ｂとが対向するように配置されている。なお、側面２３１と側面２３２とは、互いに対向する面であり、凹部２２０の４面ある側面のうち、面積の大きい方の側面である。
【００５９】
第六ケーシング２２６と第七ケーシング２２７とは、第六ケーシング２２６の端面２２６ａにおいて接合されている。また、第六ケーシング２２６には貫通孔２５が形成されており（本実施形態では２個）、貫通孔２５の内部に導電性ペーストなどを充填することによって貫通電極２７が形成されている。
【００６０】
また、第六ケーシング２２６の外表面２２６ｃにおける外部電極１７が形成される領域に、切欠部２２６ｄが形成されている。さらに、第六ケーシング２２６の外表面２２６ｂにおける貫通電極２７と外部電極１７との間の領域に、切欠部２２６ｅが形成されている。この切欠部２２６ｅには配線部１９が形成されている。
【００６１】
次に、電子部品パッケージ２１０の製造方法について図２５〜図３２を用いて説明する。
図２５に示すように、平面視における大きさが略同一の２枚の第六、第七ウエハ２５６，２５７を準備する。なお、第六ウエハ２５６が第六ケーシング２２６の構成部材であり、第七ウエハ２５７が第七ケーシング２２７の構成部材である。
【００６２】
図２６に示すように、第六ウエハ２５６に凹部２２０を複数形成する。また、第六ウエハ２５６の凹部２２０の底面２２０ａには貫通孔２５をさらに形成する。なお、本実施形態では、一つの凹部２２０に対して、二つの貫通孔２５を形成する。
【００６３】
図２７に示すように、第六ウエハ２５６の凹部２２０の底面２２０ａにおける貫通孔２５に対応する位置に銀ペーストなどからなる導電材料１５を形成する。
【００６４】
図２８に示すように、電子部品１１を凹部２２０内に挿入する。このとき、電子部品１１の機能面を有した表面１１ａおよび裏面１１ｂが凹部２２０の側面２３１，２３２にそれぞれ対向するように挿入する。また、電子部品１１の側面１１ｃが導電材料１５に当接し、さらにペースト状の導電材料１５が電子部品１１の表面１１ａおよび裏面１１ｂに回り込むまで押し込む。このようにすることで、電子部品１１の両面に形成された電極１２と導電材料１５が電気的に接続される。
【００６５】
図２９に示すように、第六ウエハ２５６と第七ウエハ２５７とを接合する。
【００６６】
図３０に示すように、第六ウエハ２５６に切欠部２２６ｄおよび２２６ｅを形成する。
【００６７】
図３１に示すように、貫通孔２５、切欠部２２６ｄおよび切欠部２２６ｅに銀ペーストを流し込み、貫通電極２７、外部電極１７および配線部１９を形成する。
【００６８】
図３２に示すように、第六ウエハ２５６および第七ウエハ２５７を個片ごとに分離して、電子部品パッケージ２１０の製造が完了する。
【００６９】
本実施形態によれば、略平板状の電子部品１１において面積が大きい機能面（表面１１ａおよび裏面１１ｂ）が、第六ケーシング２２６および第七ケーシング２２７からなるケーシング２１３の部材同士の接合面と平行でなく、略直交する方向に配置されているため、ケーシング２１３を構成するウエハ（第六ウエハ２５６および第七ウエハ２５７）に対して電子部品１１の配置個数を多くすることができる。つまり、第六ウエハ２５６および第七ウエハ２５７に対して高密度に電子部品１１を配置することができ、第六ウエハ２５６および第七ウエハ２５７を有効に利用することができる。
【００７０】
また、電子部品１１の表面１１ａおよび裏面１１ｂの両面に機能面を有し、電子部品１１の側面１１ｃと第六ケーシング２２６の凹部２２０の底面２２０ａとが接するように構成したため、電子部品１１の側面１１ｃと凹部２２０の底面２２０ａとの間に導電性ペーストからなる導電材料１５を介して配置することにより容易に、かつ、確実に電気的に導通をとることができる。
【００７１】
また、電子部品１１の機能面（表面１１ａおよび裏面１１ｂ）と、ケーシング２１３における電子部品１１の実装面（第六ウエハ２５６の凹部２２０の底面２２０ａ）とが、略直交するように配置したため、電子部品１１をケーシング２１３に実装する際に、実装面積を小さくすることができる。したがって、ケーシング２１３を構成するウエハに対して電子部品１１を数多く配置することができ、ウエハからの取出個数を多くすることができる。
【００７２】
また、上述した製造方法によれば、第六ウエハ２５６に電子部品１１を収容するための凹部２２０を形成し、第六ウエハ２５６と第七ウエハ２５７とを接合するだけでケーシング２１３を形成することができる。したがって、ケーシング２１３を容易に製造することができる。また、このようにウエハレベルで電子部品パッケージ２１０を製造するため、製造工程を簡略化することができる。
【００７３】
尚、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
例えば、本実施形態では、ケーシングにシリコンウエハを用いた場合の説明をしたが、ガラス基板やセラミック、金属基板を用いることも可能である。
【図面の簡単な説明】
【００７４】
【図１】本発明の第一実施形態における電子部品パッケージの斜視図である。
【図２】図１のＡ−Ａ線に沿う断面図である。
【図３】図１のＢ−Ｂ線に沿う断面図である。
【図４】本発明の第一実施形態における電子部品パッケージの製造方法を示す説明図（１）である。
【図５】本発明の第一実施形態における電子部品パッケージの製造方法を示す説明図（２）である。
【図６】本発明の第一実施形態における電子部品パッケージの製造方法を示す説明図（３）である。
【図７】本発明の第一実施形態における電子部品パッケージの製造方法を示す説明図（４）である。
【図８】本発明の第一実施形態における電子部品パッケージの製造方法を示す説明図（５）である。
【図９】本発明の第一実施形態における電子部品パッケージの製造方法を示す説明図（６）である。
【図１０】本発明の第一実施形態における電子部品パッケージの製造方法を示す説明図（７）である。
【図１１】本発明の第一実施形態における電子部品パッケージの製造方法を示す説明図（８）である。
【図１２】本発明の第一実施形態における電子部品パッケージの製造方法を示す説明図（９）である。
【図１３】本発明の第二実施形態における電子部品パッケージの斜視図である。
【図１４】図１３のＣ−Ｃ線に沿う断面図である。
【図１５】本発明の第二実施形態における電子部品パッケージの製造方法を示す説明図（１）である。
【図１６】本発明の第二実施形態における電子部品パッケージの製造方法を示す説明図（２）である。
【図１７】本発明の第二実施形態における電子部品パッケージの製造方法を示す説明図（３）である。
【図１８】本発明の第二実施形態における電子部品パッケージの製造方法を示す説明図（４）である。
【図１９】本発明の第二実施形態における電子部品パッケージの製造方法を示す説明図（５）である。
【図２０】本発明の第二実施形態における電子部品パッケージの製造方法を示す説明図（６）である。
【図２１】本発明の第二実施形態における電子部品パッケージの製造方法を示す説明図（７）である。
【図２２】本発明の第二実施形態における電子部品パッケージの製造方法を示す説明図（８）である。
【図２３】本発明の第三実施形態における電子部品パッケージの斜視図である。
【図２４】図２３のＤ−Ｄ線に沿う断面図である。
【図２５】本発明の第三実施形態における電子部品パッケージの製造方法を示す説明図（１）である。
【図２６】本発明の第三実施形態における電子部品パッケージの製造方法を示す説明図（２）である。
【図２７】本発明の第三実施形態における電子部品パッケージの製造方法を示す説明図（３）である。
【図２８】本発明の第三実施形態における電子部品パッケージの製造方法を示す説明図（４）である。
【図２９】本発明の第三実施形態における電子部品パッケージの製造方法を示す説明図（５）である。
【図３０】本発明の第三実施形態における電子部品パッケージの製造方法を示す説明図（６）である。
【図３１】本発明の第三実施形態における電子部品パッケージの製造方法を示す説明図（７）である。
【図３２】本発明の第三実施形態における電子部品パッケージの製造方法を示す説明図（８）である。
【符号の説明】
【００７５】
１０…電子部品パッケージ  １１…電子部品  １１ａ…表面（機能面）  １１ｂ…裏面（機能面）  １３…ケーシング  ２０…貫通孔  ２１…第一ケーシング  ２１ａ…端面（接合面）  ２１ｂ…端面（接合面）  ２２…第二ケーシング  ２２ｃ…表面（実装面）  ２３…第三ケーシング  ３１…内周面  ３２…内周面  ５１…第一ウエハ  ５２…第二ウエハ  ５３…第三ウエハ  １１０…電子部品パッケージ  １２０…凹部  １２１…凹部  １２４…第四ケーシング  １２５…第五ケーシング  １３１，１３２…側面  １３３，１３４…側面  １５４…第四ウエハ  １５５…第五ウエハ  ２１０…電子部品パッケージ  ２２０…凹部  ２２６…第六ケーシング  ２２７…第七ケーシング  ２３１，２３２…側面  ２５６…第六ウエハ  ２５７…第七ウエハ
【図１】
2010056225.tif 000003
【図２】
2010056225.tif 000004
【図３】
2010056225.tif 000005
【図４】
2010056225.tif 000006
【図５】
2010056225.tif 000007
【図６】
2010056225.tif 000008
【図７】
2010056225.tif 000009
【図８】
2010056225.tif 000010
【図９】
2010056225.tif 000011
【図１０】
2010056225.tif 000012
【図１１】
2010056225.tif 000013
【図１２】
2010056225.tif 000014
【図１３】
2010056225.tif 000015
【図１４】
2010056225.tif 000016
【図１５】
2010056225.tif 000017
【図１６】
2010056225.tif 000018
【図１７】
2010056225.tif 000019
【図１８】
2010056225.tif 000020
【図１９】
2010056225.tif 000021
【図２０】
2010056225.tif 000022
【図２１】
2010056225.tif 000023
【図２２】
2010056225.tif 000024
【図２３】
2010056225.tif 000025
【図２４】
2010056225.tif 000026
【図２５】
2010056225.tif 000027
【図２６】
2010056225.tif 000028
【図２７】
2010056225.tif 000029
【図２８】
2010056225.tif 000030
【図２９】
2010056225.tif 000031
【図３０】
2010056225.tif 000032
【図３１】
2010056225.tif 000033
【図３２】
2010056225.tif 000034